(57)【要約】【課題】接点入力用端末器による負荷の制御を違和感なく行うことができる遠隔監視制御システムを提供する。【解決手段】ネットワークカメラＮＣ並びに接点入力用端末器１０においては、照明負荷５1〜５3を点灯させるための第１の接点信号Ｘ１と、照明負荷５1〜５3を消灯させるための第２の接点信号Ｘ２とをオン時間が互いに異なる接点状態で識別する。したがって、２種類の接点状態の一方を選択して照明負荷５の動作状態を切り替えることができて接点入力用端末器１０による照明負荷５の制御を違和感なく行うことができる。【選択図】図１
2007288448.tif 000002
【特許請求の範囲】
【請求項１】
監視用端末器及び制御用端末器を２線式の伝送線を介して伝送ユニットに接続し、この伝送ユニットからは各端末器を個別に呼び出すアドレスデータを含む伝送信号を伝送線に時分割多重で送出することによって監視用端末器及び制御用端末器を個別にアクセスし、伝送信号に同期して設定した信号返信期間に監視用端末器からの監視データを受信すると、監視データに基づいて制御データを作成し、監視データを発生した監視用端末器に対応した制御用端末器に対して制御データを前記伝送信号により伝送し、当該制御用端末器では受信した制御データにより負荷の動作を制御する遠隔監視制御システムであって、外部に接続された接点の状態を監視して当該接点の開閉状態に応じた監視データを伝送ユニットに送信する接点入力用端末器を監視用端末器として含む遠隔監視制御システムにおいて、
前記接点を有する外部機器は、オフ状態の他に、オン時間が異なるか若しくは一定時間内におけるオンした回数が異なる２種類の接点状態を有するものであって、
前記接点入力用端末器は、前記２種類の接点状態を検出する接点状態検出手段と、接点状態検出手段で何れかの接点状態が検出されたときに伝送線へ監視データを含む伝送信号を送出する監視データ送出手段とを具備したことを特徴とする遠隔監視制御システム。
【請求項２】
前記オン時間よりも長い時間を有する接点状態が接点状態検出手段で検出された場合、監視データ送出手段は、監視データを含む伝送信号を短時間に連続して偶数回送出することを特徴とする請求項１記載の遠隔監視制御システム。
【請求項３】
前記接点入力用端末器は、操作入力を受け付ける操作入力受付手段を具備し、操作入力受付手段で操作入力を受け付けたとき、監視データ送出手段が監視データを含む伝送信号を短時間に連続して偶数回送出することを特徴とする請求項１記載の遠隔監視制御システム。
【請求項４】
前記外部機器は、監視領域における異常発生を検知した場合に前記２種類の接点状態の何れともオン時間若しくはオン回数が異なる３種類目の接点状態を有するものであり、
前記接点入力用端末器は、接点状態検出手段が前記３種類目の接点状態を検出したときに当該３種類目の接点状態に対応する固有の監視データを含む伝送信号を送出することを特徴とする請求項１〜３の何れかに記載の遠隔監視制御システム。
【請求項５】
負荷に複数の照明負荷を含み、前記伝送ユニットは、接点入力用端末器から前記固有の監視データを受信した場合に前記複数の照明負荷の全てを一定期間内に明滅させるように制御データを生成して伝送信号により伝送することを特徴とする請求項４記載の遠隔監視制御システム。
【請求項６】
負荷に複数の照明負荷を含み、前記伝送ユニットは、前記固有の監視データを受信した場合に前記複数の照明負荷を順番に明滅させる制御データを生成して伝送信号により伝送することを特徴とする請求項４記載の遠隔監視制御システム。
【請求項７】
前記接点入力用端末器は、前記外部機器を保持する保持手段と、当該外部機器に電源を供給する電源供給手段とを具備することを特徴とする請求項１〜６の何れかに記載の遠隔監視制御システム。
【請求項８】
前記外部機器は、監視領域を撮像する撮像手段と、携帯電話端末と無線通信する無線通信手段と、撮像手段で撮像した映像を無線通信手段より携帯電話端末に伝送する映像伝送手段と、携帯電話端末から送信される前記負荷の動作制御指令を無線通信手段で受信した場合に前記２種類の接点状態のうちの当該動作制御指令に対応した何れか一方の接点状態に切り換える接点状態切換手段とを具備したことを特徴とする請求項１〜７の何れかに記載の遠隔監視制御システム。
【請求項９】
前記外部機器は、監視領域内の人の存否を検知する人体検知手段と、人体検知手段で人体を検知した場合に前記２種類の接点状態のうちの当該人体検知に対応した何れか一方の接点状態に切り換える接点状態切換手段とを具備したことを特徴とする請求項１〜７の何れかに記載の遠隔監視制御システム。
【請求項１０】
前記外部機器は、ワイヤレス送信機から送信されるワイヤレス信号を受信するワイヤレス信号受信手段と、前記ワイヤレス送信機から送信されるワイヤレス信号をワイヤレス信号受信手段で受信した場合に前記２種類の接点状態を切り換える接点状態切換手段とを具備したことを特徴とする請求項１〜７の何れかに記載の遠隔監視制御システム。
【発明の詳細な説明】
【技術分野】
【０００１】
本発明は、時分割多重伝送を用いた遠隔監視制御システムに関するものである。
【背景技術】
【０００２】
図８は時分割多重伝送を用いた遠隔監視制御システムを示しており、この遠隔監視制御システムは、スイッチＳの操作状態を監視する複数の監視用端末器１と、負荷５を制御する複数の制御用端末器２とを２線式の伝送線３を介して伝送ユニット４に接続した構成が基本的な構成であり、各端末器１、２は夫々固有のアドレスが設定され、このアドレスを用いて伝送ユニット４が各端末器１、２を個別に認識する。
【０００３】
伝送ユニット４は伝送線３に対して、図９のようなフォーマットの伝送信号Ｖｓを送出する。すなわち、伝送信号Ｖｓは、信号送出開始を示すスタートパルスＳＴ、信号モードを示すモードデータ信号ＭＤ、各端末器１、２を各別に呼び出すためのアドレスを伝送するアドレスデータ信号ＡＤ、負荷５を制御する制御データを伝送する制御データ信号ＣＤ、伝送エラーを検出するためのチェックサムデータ信号ＣＳ、監視用端末器１や制御用端末器２からの返信データ信号を受信するタイムスロットである信号返信期間ＷＴよりなる複極（±２４Ｖ）の時分割多重信号であり、パルス幅変調によってデータが伝送されるようになっている。
【０００４】
各監視用端末器１及び制御用端末器２では、伝送線３を介して受信した伝送信号Ｖｓにより伝送されたアドレスデータが予め設定されているアドレスに一致すると、伝送信号Ｖｓから制御データを取り込むとともに、伝送信号Ｖｓの信号返信期間ＷＴに同期して返信データを電流モード信号（伝送線３の線間を適当な低インピーダンスを介して短絡することにより送出される信号）として返送する。
【０００５】
また伝送ユニット４には、ダミー信号送出手段及び割り込み信号処理手段が設けられる。ダミー信号送出手段は、モードデータ信号ＭＤをダミーモードとしたダミー伝送信号を常時送出する。また割り込み信号処理手段は、何れかの監視用端末器１でスイッチＳの操作に伴って発生した図９に示す割り込み信号Ｖｉを受信したときに、割り込み信号Ｖｉを発生した監視用端末器１を検索し、その監視用端末器１に設定されているアドレスデータを返信データ（監視データ）として返信させる。即ち、常時はダミー信号送信手段によってダミー伝送信号を伝送線３に送出し、スイッチＳの操作に伴って監視用端末器１から発生した割り込み信号Ｖｉをダミー伝送信号のスタートパルス信号ＳＴに同期して検出すると、伝送ユニット４から割り込み処理手段によってモードデータ信号ＭＤをアドレス確認モードとした伝送信号Ｖｓを伝送線３に送出する。各監視用端末器１では、割り込み信号Ｖｉを発生すると割り込みの要求を行う割り込みフラグを設定し、割り込みフラグが設定されている監視用端末器１ではモードデータ信号ＭＤがアドレス確認モードの伝送信号Ｖｓを受信すると、この伝送信号Ｖｓの信号返信期間ＷＴに同期して監視用端末器１に設定されているアドレスを返信データ（監視データ）として返信する。このようにして伝送ユニット４では割り込み信号Ｖｉを発生した監視用端末器１のアドレスを獲得することができる。
【０００６】
伝送ユニット４では、割り込み信号Ｖｉを発生した監視用端末器１のアドレスを獲得すると、スイッチＳに対する対応関係が予め設定されている負荷５を接続している制御用端末器２に伝送する制御データを生成するとともに、その制御データを含む伝送信号Ｖｓを伝送線３に送出し、対応する制御用端末器２に制御データを伝送して負荷５を制御する。
【０００７】
尚監視用端末器１や制御用端末器２では、夫々伝送線３上を伝送されている伝送信号Ｖｓを全波整流し安定化することによって内部回路の動作用電源を得るようになっている。制御用端末器２に接続される負荷５については別途に電源を設けている。ところで、監視用端末器１には個別の負荷を制御するのではなく、予め定めた複数の負荷を同時に制御するグループ制御や、或いは設定した動作パターンに対応する負荷を同時に制御するパターン制御の操作を一つの操作スイッチで行えるパターン・グループ監視用端末器１’があり、このパターン・グループ監視用端末器１’からの監視データを受け取った伝送ユニット４では予め内蔵メモリに登録されているグループ或いはパターンに対応する負荷をサーチして当該負荷に対応する制御用端末器２に対して伝送信号Ｖｓにより制御データを送るようになっている。また同時に制御用端末器２から負荷動作状態を示す監視データを返信させ、その監視データに基づいて負荷動作状態をパターン・グループ監視用端末器１’に設けた表示素子で表示させるために表示用の制御データをパターン・グループ監視用端末器１’に対して伝送信号Ｖｓにより送るようになっている。
【０００８】
ここで、監視用端末器には前記監視用端末器１，１’のようにスイッチＳの操作状態を監視するもの以外に、例えば外部機器（センサやカメラ、リモコン受信器など）が有する無電圧接点の開閉状態を監視する監視用端末器がある。このような監視用端末器は通常接点入力用端末器と呼ばれている。例えば、人体検知センサが有する無電圧接点をこのような接点入力用端末器で監視し、検知エリア内において人体検知センサが人体を検知した場合だけ、負荷としての照明装置を点灯させるというような使い方がされる。
【特許文献１】特開平９−９３７０号公報
【発明の開示】
【発明が解決しようとする課題】
【０００９】
ところで、監視用端末器１，１’が監視するスイッチＳと、接点入力用端末器が監視する外部機器（人体検知センサなど）の無電圧接点とに同一の負荷が対応付けられていた場合、例えば、無電圧接点がオフからオンに変化したことを接点入力用端末器で検出して照明負荷を点灯させた後、当該照明負荷と対応付けされているスイッチＳが操作されて照明負荷を消灯させた場合、当該照明負荷を外部機器によって再度点灯させるためには、一旦無電圧接点をオフしてからオンさせる必要が生じてしまい、照明負荷が不用意に明滅することで違和感を与えるという問題があった。
【００１０】
本発明は前記事情に鑑みて為されたものであり、その目的は、接点入力用端末器による負荷の制御を違和感なく行うことができる遠隔監視制御システムを提供することにある。
【課題を解決するための手段】
【００１１】
請求項１の発明は、前記目的を達成するために、監視用端末器及び制御用端末器を２線式の伝送線を介して伝送ユニットに接続し、この伝送ユニットからは各端末器を個別に呼び出すアドレスデータを含む伝送信号を伝送線に時分割多重で送出することによって監視用端末器及び制御用端末器を個別にアクセスし、伝送信号に同期して設定した信号返信期間に監視用端末器からの監視データを受信すると、監視データに基づいて制御データを作成し、監視データを発生した監視用端末器に対応した制御用端末器に対して制御データを前記伝送信号により伝送し、当該制御用端末器では受信した制御データにより負荷の動作を制御する遠隔監視制御システムであって、外部に接続された接点の状態を監視して当該接点の開閉状態に応じた監視データを伝送ユニットに送信する接点入力用端末器を監視用端末器として含む遠隔監視制御システムにおいて、前記接点を有する外部機器は、オフ状態の他に、オン時間が異なるか若しくは一定時間内におけるオンした回数が異なる２種類の接点状態を有するものであって、前記接点入力用端末器は、前記２種類の接点状態を検出する接点状態検出手段と、接点状態検出手段で何れかの接点状態が検出されたときに伝送線へ監視データを含む伝送信号を送出する監視データ送出手段とを具備したことを特徴とする。
【００１２】
請求項２の発明は、請求項１の発明において、前記オン時間よりも長い時間を有する接点状態が接点状態検出手段で検出された場合、監視データ送出手段は、監視データを含む伝送信号を短時間に連続して偶数回送出することを特徴とする。
【００１３】
請求項３の発明は、請求項１の発明において、前記接点入力用端末器は、操作入力を受け付ける操作入力受付手段を具備し、操作入力受付手段で操作入力を受け付けたとき、監視データ送出手段が監視データを含む伝送信号を短時間に連続して偶数回送出することを特徴とする。
【００１４】
請求項４の発明は、請求項１〜３の何れかの発明において、前記外部機器は、監視領域における異常発生を検知した場合に前記２種類の接点状態の何れともオン時間若しくはオン回数が異なる３種類目の接点状態を有するものであり、前記接点入力用端末器は、接点状態検出手段が前記３種類目の接点状態を検出したときに当該３種類目の接点状態に対応する固有の監視データを含む伝送信号を送出することを特徴とする。
【００１５】
請求項５の発明は、請求項４の発明において、負荷に複数の照明負荷を含み、前記伝送ユニットは、接点入力用端末器から前記固有の監視データを受信した場合に前記複数の照明負荷の全てを一定期間内に明滅させるように制御データを生成して伝送信号により伝送することを特徴とする。
【００１６】
請求項６の発明は、請求項４の発明において、負荷に複数の照明負荷を含み、前記伝送ユニットは、前記固有の監視データを受信した場合に前記複数の照明負荷を順番に明滅させる制御データを生成して伝送信号により伝送することを特徴とする。
【００１７】
請求項７の発明は、請求項１〜６の何れかの発明において、前記接点入力用端末器は、前記外部機器を保持する保持手段と、当該外部機器に電源を供給する電源供給手段とを具備することを特徴とする。
【００１８】
請求項８の発明は、請求項１〜７の何れかの発明において、前記外部機器は、監視領域を撮像する撮像手段と、携帯電話端末と無線通信する無線通信手段と、撮像手段で撮像した映像を無線通信手段より携帯電話端末に伝送する映像伝送手段と、携帯電話端末から送信される前記負荷の動作制御指令を無線通信手段で受信した場合に前記２種類の接点状態のうちの当該動作制御指令に対応した何れか一方の接点状態に切り換える接点状態切換手段とを具備したことを特徴とする。
【００１９】
請求項９の発明は、請求項１〜７の何れかの発明において、前記外部機器は、監視領域内の人の存否を検知する人体検知手段と、人体検知手段で人体を検知した場合に前記２種類の接点状態のうちの当該人体検知に対応した何れか一方の接点状態に切り換える接点状態切換手段とを具備したことを特徴とする。
【００２０】
請求項１０の発明は、請求項１〜７の何れかの発明において、前記外部機器は、ワイヤレス送信機から送信されるワイヤレス信号を受信するワイヤレス信号受信手段と、前記ワイヤレス送信機から送信されるワイヤレス信号をワイヤレス信号受信手段で受信した場合に前記２種類の接点状態を切り換える接点状態切換手段とを具備したことを特徴とする。
【発明の効果】
【００２１】
請求項１の発明によれば、外部機器がオフ状態の他に、オン時間が異なるか若しくは一定時間内におけるオンした回数が異なる２種類の接点状態を有し、接点入力用端末器では、接点状態検出手段で検出する２種類の接点状態を監視データとして伝送ユニットに伝送するから、２種類の接点状態の一方を選択して負荷の動作状態を切り替えることができて接点入力用端末器による負荷の制御を違和感なく行うことができる。
【００２２】
請求項２の発明によれば、外部機器を接点入力用端末器に接続しない状態でも接点入力用端末器による負荷の制御が正常に実行可能か否かが確認できる。
【００２３】
請求項３の発明によれば、請求項２の発明と同様の効果を奏する。
【００２４】
請求項４の発明によれば、異常が発生したときに接点入力用端末器によって特定の負荷の動作を制御することで異常発生を簡単に報知することができる。
【００２５】
請求項５の発明によれば、複数の照明負荷が一斉に明滅することで異常発生を確実に報知することができる。
【００２６】
請求項６の発明によれば、照明負荷の明滅が電源に与える影響を軽減することができる。
【００２７】
請求項７の発明によれば、外部機器の設置スペースと電源供給用の配線の引き回しが不要となって施工性が向上する。
【００２８】
請求項８の発明によれば、外部機器として所謂ネットワークカメラが利用できる。
【００２９】
請求項９の発明によれば、外部機器として所謂人体検知センサが利用できる。
【００３０】
請求項１０の発明によれば、外部機器として所謂リモコン受信器が利用できる。
【発明を実施するための最良の形態】
【００３１】
図１〜図７を参照して本発明の実施形態について詳細に説明する。本実施形態では、撮像した映像を電波により携帯電話端末ＭＰに送信する機能と、携帯電話端末ＭＰから電波により受け取った指令に基づいて、内蔵する無電圧接点（以下、接点と略す。）をオン（メイク）・オフ（ブレイク）する機能とを有した所謂ネットワークカメラＮＣを、外部機器として接点入力用端末器１０に接続している。
【００３２】
このネットワークカメラＮＣは、ＣＣＤ撮像素子又はＣＭＯＳ撮像素子やレンズなどの光学系を有する撮像部５０と、ＬＡＮに関する規格（例えば、IEEE 802.3諸規格）に準拠した通信を行うための通信部（図示せず）と、例えばＷ−ＣＤＭＡ(Wideband Code Division Multiple Access)方式の第３世代携帯電話端末であるカード型端末５１が挿抜自在に装着されるカード用インタフェース（図示せず）と、周囲の音を集音するマイクロホン（図示せず）と、撮像部５０で撮像した映像をデジタル信号に変換する処理や変換された映像信号（映像データ）を通信部やカード型端末５１から送信させる機能、携帯電話端末ＭＰから送信されカード型端末５１で受信した指令に基づいて撮像部５０の動作制御や接点のオン・オフ制御を行う機能、撮像部５０で撮像した映像を解析して移動物体の存在を検知する機能（以下、移動物体検知機能と呼ぶ。）等を実現するマイコン（図示せず）などを具備している。すなわち、ネットワークカメラＮＣの撮像部５０で撮像された映像がカード型端末５１より携帯電話端末ＭＰに送信されることで携帯電話端末ＭＰの液晶画面に当該映像を表示することができるとともに、携帯電話端末ＭＰから送信される指令をカード型端末５１で受信し、受信した指令に応じて撮像部５０の動作制御や接点のオン・オフ制御等を行ったり、あるいは、マイクロホンで集音した音をカード型端末５１から携帯電話端末ＭＰへ送信して携帯電話端末ＭＰのスピーカを鳴動させることができる。また、図示はしていないが、通信部によりネットワーク（ＬＡＮ又はインターネット）を介してパーソナルコンピュータなどのネットワーク端末と通信して映像を送信したり制御用の指令を受け取ることも可能である。なお、ネットワークカメラＮＣの外観構造については後述する。
【００３３】
本実施形態における接点入力用端末器１０は、図２に示すように伝送線３を通じて伝送ユニット４から送られてくる伝送信号Ｖｓを整流平滑して端末器並びにネットワークカメラＮＣの動作電源を作成する電源回路部１１と、伝送ユニット４との間で伝送線３を介して伝送信号Ｖｓを送受信する伝送信号送受信部１２と、アドレスが設定されるアドレス設定部１３と、端末器全体の制御を行うためのマイコン１４と、マイコン１４の入力ポートに外部機器（ネットワークカメラＮＣなど）の接点のオン・オフ状態に応じた信号（接点信号）を取り込むためのフォトカプラ１５と、タクトスイッチ１６ａを有しタクトスイッチ１６ａが操作されたときにフォトカプラ１５の入力側を短絡する操作入力受付部１６とを具備している。
【００３４】
マイコン１４は、フォトカプラ１５を介して入力ポートに入力する接点信号に応じて伝送信号送受信部１２より伝送線３に割り込み信号Ｖｉを送出させるとともに割り込みフラグを設定し、伝送ユニット３から送信されるアドレス確認モードの伝送信号Ｖｓを受信すると、この伝送信号Ｖｓの信号返信期間ＷＴに同期してアドレス設定部１３に設定されているアドレスを返信する。さらに、アドレスを取得した伝送ユニット４が接点の状態を問い合わせるために制御モードの伝送信号Ｖｓを当該アドレス宛に送信し、この伝送信号Ｖｓを受け取ったマイコン１４が入力ポートに入力した接点信号の種類（後述する）に応じた監視データを伝送ユニット４に返信する。すなわち、本実施形態では接点状態検出手段並びに監視データ送出手段がマイコン１４によって実現されている。
【００３５】
端末器本体２０は、図３並びに図４に示すように日本工業規格（ＪＩＳ）で規格化されている大角形連用配線器具の合成樹脂製取付枠（以下、取付枠と略す。）の２連接穴用の取付枠１００に取り付けられるものであって、前面が開口した箱状の合成樹脂成形品からなるボディ２１と、背面が開口した箱状の合成樹脂成形品からなるカバー２２とを互いの開口面同士を向き合わせる形で結合することによって組み立てられ、内部には図２に示した回路ブロックを構成する部品を実装したプリント配線板２３が収納されている。また、ボディ２１の底壁には円筒状の複数の端子収納部２４が突設されており、伝送線３を接続するための一対のねじ端子２５，２５と伝送線３を送り配線するための一対のねじ端子２５，２５がプリント配線板２３に実装され且つ端子収納部２４内に収納されている。ここで、プリント配線板２３にはネットワークカメラＮＣの接点信号出力端子６４に接続するための信号線２６と、電源回路部１１で作成した電源をネットワークカメラＮＣに供給するための給電線２７とが設けられ、さらに給電線２７の先端には電源プラグ２８が付設されている。また端末器本体２０は、図４に示すように正面から見て右肩の部分が欠けた多角形状に形成されており、この欠けた部分から信号線２６と給電線２７が外部に導出されている。
【００３６】
カバー２２前面には前方へ突出した突台状のボス部２２ａが設けられ、ボス部２２ａの左右両側に設けられた肩部２２ｂ，２２ｂには、取付枠１００に設けられている係止孔１０１に係脱自在に係入される複数の係止爪２２ｃが所定間隔で突設されており、取付枠１００に取り付けることで端末器本体２０を壁面に埋込配設することができる。また、取付枠１００の前面にはフラッシプレート１１０が取り付けられ、取付枠１００前面をフラッシプレート１１０で覆い隠すことで端末器本体２０を見栄え良く埋込配設することができる。但し、かかる取付枠１００やフラッシプレート１１０並びに端末器本体２０の取付枠１００への取付構造については、ＪＩＳで規格化されているように従来周知であるから詳細な説明を省略する。
【００３７】
また、カバー２２前面の中央には、後述するようにネットワークカメラＮＣを保持する保持手段が設けられている。保持手段は、先端が半円形である薄板状に形成された一対の差込部２９，２９からなり、後述するようにネットワークカメラＮＣのハウジング６０背面に設けられた受け部（後述する）に差込部２９，２９を先端側から差し込むことでハウジング６０を保持するものである。さらに、カバー２２前面にはプリント配線板２３に実装されている操作入力受付部１６のタクトスイッチ１６ａを露出するための角穴２２ｄが貫設されている。
【００３８】
ネットワークカメラＮＣのハウジング６０は、背面に対して前面が上下方向に傾斜した多面体形状の合成樹脂成形品からなり、前面中央に半球面状のレンズカバー６１が設けられ、レンズカバー６１に覆われたレンズ（図示せず）が回動することで撮像範囲を変化させることができるようになっている。また、図４に示すようにハウジング６０の底面（図４における上面）には、エンハンストカテゴリー５若しくはカテゴリー６のＬＡＮケーブルに付設されているＲＪ−４５のモジュラプラグが挿抜自在に差込接続されるモジュラジャック６２が設けられている。さらに、ハウジング６０底面には背面側に開口する凹所６０ａが設けられ、凹所６０ａ前方の側面には給電用の電源プラグ２８が接続されるプラグ受け６３と、信号線２６が接続される接点信号出力端子６４とが配設されている。ここで、ハウジング６０の側面には音声出力端子６５が設けられており（図４参照）、この音声出力端子に接続する外部スピーカ（図示せず）から、携帯電話端末ＭＰより送信される音声を鳴動させることが可能となっている。
【００３９】
また、接点入力用端末器１０の端末器本体２０に設けられている差込部２９，２９が挿抜自在に差し込まれる各一対の受け部６６，６７が、ハウジング６０の背面略中央に上下方向に対向する形で形成されている。すなわち、図４における上側の受け部６６，６６に差込部２９，２９を差し込めば、図５に示すようにレンズカバー６１を壁面に対して下方へ傾けた状態でネットワークカメラＮＣを保持することができ、また、図４における下側の受け部６７，６７に差込部２９，２９を差し込めば、図１に示すようにレンズカバー６１を壁面に対して上方へ傾けた状態でネットワークカメラＮＣを保持することができる。なお、ネットワークカメラＮＣを端末器本体２０に保持させ、且つ電源プラグ２８をプラグ受け６３に接続するとともに信号線２６を接点信号出力端子６４に接続した状態では、ハウジング６０の凹所６０ａが蓋６８によって閉塞される（図５参照）。このように本実施形態では、端末器本体２０に設けられた保持手段（差込部２９，２９）によって外部機器たるネットワークカメラＮＣを保持するので、外部機器の設置スペースと電源供給用の給電線２７の引き回しが不要となって施工性が向上するという利点がある。
【００４０】
次に、本発明の要旨である接点信号の送受信に関する構成を説明する。
【００４１】
ネットワークカメラＮＣにおいては、オフ状態の他に、オン時間が異なる２種類の接点状態を有しており、携帯電話端末ＭＰから負荷（例えば、照明負荷）５をオン（点灯）させる指令を受け取ったときに相対的にオン時間Ｔ１が長い接点状態とすることで接点入力用端末器１０に対して第１の接点信号Ｘ１を出力し、携帯電話端末ＭＰから照明負荷５をオフ（消灯）させる指令を受け取ったときに相対的にオン時間Ｔ２（＜Ｔ１）が短い接点状態とすることで接点入力用端末器１０に対して第２の接点信号Ｘ２を出力するように構成されている。
【００４２】
一方、接点入力用端末器１０においては、第１又は第２の接点信号Ｘ１，Ｘ２が入力ポートに入力されると、マイコン１４が伝送信号送受信部１２より伝送線３に割り込み信号Ｖｉを送出させるとともに割り込みフラグを設定し、さらに伝送ユニット３から送信されるアドレス確認モードの伝送信号Ｖｓを受信すると、この伝送信号Ｖｓの信号返信期間ＷＴに同期してアドレス設定部１３に設定されているアドレスを返信する。そして、アドレスを取得した伝送ユニット４が接点の状態を問い合わせるためにモードデータＭＤを制御モードとし、接点入力用端末器１０のアドレスをアドレスデータＡＤとする伝送信号Ｖｓを送出する。接点入力用端末器１０のマイコン１４では、アドレスデータＡＤが自己のアドレスに一致することから当該制御データを受け取り、入力ポートに入力された接点信号の種類に応じた接点状態、つまり、第１の接点信号Ｘ１が入力された場合は接点がオン状態であることを示す監視データを伝送ユニット４に返信し、第２の接点信号Ｘ２が入力された場合は接点がオフ状態であることを示す監視データを伝送ユニット４に返信する。
【００４３】
例えば、図１に示すように接点入力用端末器１０のアドレスと３台の照明負荷５1〜５3を点灯・消灯する各リレー（制御用端末器２が内蔵するリレー）のアドレスとが対応付けられるとともに、監視用端末器１の３つのスイッチＳ１〜Ｓ３のアドレスが各々前記各リレーのアドレスと対応付けられているとする。図６に示すように、全ての照明負荷５1〜５3が消灯している状態でネットワークカメラＮＣが携帯電話端末ＭＰから照明負荷５1〜５3を点灯する指令を受け取ると、ネットワークカメラＮＣから信号線２６を介して第１の接点信号Ｘ１が出力され、第１の接点信号Ｘ１が入力ポートに入力された接点入力用端末器１０のマイコン１４では、上述の手順で伝送ユニット４に対して接点がオン状態であることを示す監視データを返信する。そして、この監視データを受け取った伝送ユニット４は、接点入力用端末器１０とアドレスの対応関係が設定されている３台の照明負荷５1〜５3を全て点灯させるように制御用端末器２に対して制御データを送信し、その結果、３台の照明負荷５1〜５3がすべて点灯する。一方、３台の照明負荷５1〜５3が全て点灯している状態で監視用端末器１のスイッチＳ１が操作されると、操作されるたびにアドレスの対応関係が設定されている照明負荷５1の動作状態が消灯、点灯と切り替わる。同様に、３台の照明負荷５1〜５3が全て点灯している状態で監視用端末器１のスイッチＳ３が操作されるとアドレスの対応関係が設定されている照明負荷５3が消灯する。そして、２台の照明負荷５1，５2が点灯し且つ１台の照明負荷５3が消灯している状態でネットワークカメラＮＣが携帯電話端末ＭＰから照明負荷５1〜５3を点灯する指令を受け取ると、ネットワークカメラＮＣから信号線２６を介して第１の接点信号Ｘ１が出力され、第１の接点信号Ｘ１が入力ポートに入力された接点入力用端末器１０のマイコン１４では、上述の手順で伝送ユニット４に対して接点がオン状態であることを示す監視データを返信する。そして、この監視データを受け取った伝送ユニット４は、接点入力用端末器１０とアドレスの対応関係が設定されている３台の照明負荷５1〜５3を全て点灯させるように制御用端末器２に対して制御データを送信し、その結果、消灯していた１台の照明負荷５3が点灯することで３台の照明負荷５1〜５3がすべて点灯状態となる。また、ネットワークカメラＮＣから信号線２６を介して第２の接点信号Ｘ２が出力されると、第２の接点信号Ｘ２が入力ポートに入力された接点入力用端末器１０のマイコン１４が上述の手順で伝送ユニット４に対して接点がオフ状態であることを示す監視データを返信する。そして、この監視データを受け取った伝送ユニット４は、接点入力用端末器１０とアドレスの対応関係が設定されている３台の照明負荷５1〜５3を全て消灯させるように制御用端末器２に対して制御データを送信し、その結果、点灯していた照明負荷５が消灯することで３台の照明負荷５1〜５3がすべて消灯する。
【００４４】
すなわち、従来の接点入力用端末器では、外部機器の接点がオンからオフ又はオフからオンに変化したときにだけ割り込み信号Ｖｉを送信して変化後の接点状態を監視データとして伝送ユニット４に返信していたため、上述のように２台の照明負荷５1，５2が点灯し且つ１台の照明負荷５3が消灯している状態で携帯電話端末１から全ての照明負荷５1〜５3を点灯させようとした場合、一旦接点をオンからオフに切り替えた後に再度接点をオフからオンに切り替える必要があり、点灯している２台の照明負荷５1，５2を含む全ての照明負荷５1〜５3を一度消灯してから再度点灯させなければならなかった。これに対して本実施形態では、上述のように照明負荷５1〜５3を点灯させるための第１の接点信号Ｘ１と、照明負荷５1〜５3を消灯させるための第２の接点信号Ｘ２とをオン時間が互いに異なる接点状態で識別するようにしているから、２種類の接点状態の一方を選択して照明負荷５の動作状態を切り替えることができて接点入力用端末器１０による照明負荷５の制御を違和感なく行うことができる。但し、図７に示すように一定時間Ｔ０内におけるオンした回数（方形パルスの個数）が異なる２種類の接点状態によって第１の接点信号Ｘ１と第２の接点信号Ｘ２を識別するようにしても構わない。例えば、図７に示すようにオン回数（パルス数）が複数（図示例では３個）であれば第１の接点信号Ｘ１とし、オン回数が単数であれば第２の接点信号Ｘ２とすればよい。
【００４５】
ところで、本実施形態の施工後に接点入力用端末器１０と外部機器（ネットワークカメラＮＣ）との連係動作をチェックする際、例えば、接点入力用端末器１０のマイコン１４の入力ポートに第１の接点信号Ｘ１と第２の接点信号Ｘ２を入力しないと動作試験が行えないとすると非常に面倒である。そこで本実施形態では、接点入力用端末器１０の端末器本体２０前面に露出しているタクトスイッチ１６ａを所定時間Ｔａ（＞Ｔ１）以上押操作することでマイコン１４の入力ポートに試験用の接点信号Ｘａが入力されると（図６参照）、マイコン１４は接点がオン状態であることを示す監視データとオフ状態であることを示す監視データとを短時間（例えば、数秒間）に連続して伝送ユニット４に送信する。そして、施工が正常に行われていれば、伝送ユニット４から制御用端末器２に制御データが送信されて全ての照明負荷５1〜５3が短時間で点滅するから、外部機器を接続せずとも簡単に動作試験を実施することができる。
【００４６】
ところで、ネットワークカメラＮＣは移動物体検知機能を有しており、例えば、留守宅で移動物体（侵入者）を検知したときにカード型端末５１より携帯電話端末ＭＰへ通報することができるようになっている。また、外付けのセンサ（例えば、人感センサ）で異常を検知したときにもカード型端末５１より携帯電話端末ＭＰへ通報することができるようになっている。しかしながら、携帯電話端末ＭＰが電波の届かない場所にあると通報が遅れる可能性があり、信頼性や即時性に難がある。
【００４７】
そこで、移動物体を検知したときや外付けのセンサで異常が検知されたときに、上述した２種類の接点状態（第１の接点信号Ｘ１並びに第２の接点信号Ｘ２に対応する接点状態）の何れともオン時間若しくはオン回数が異なる３種類目の接点状態をネットワークカメラＮＣに持たせ、かかる３種類目の接点状態に対応する第３の接点信号がネットワークカメラＮＣから出力された場合に、接点入力用端末器１０のマイコン１４が第３の接点信号に対応する固有の監視データを伝送ユニット４に送信することによって、例えば、異常が検知されたことを報知するための負荷（例えば、反射鏡を回転させる回転灯や警報音を鳴動する警報ブザーなど）を動作させるようにすれば、携帯電話端末ＭＰに通報するよりも確実且つ即時に異常発生を報知することができる。なお、前記固有の監視データとしては、例えばパターン制御用のアドレスを用いればよい。
【００４８】
また、異常報知専用の負荷をシステムに含めると通常の負荷５の制御可能な個数が減ってしまうというデメリットがあるので、第３の接点信号が入力されたときに接点入力用端末器１０のマイコン１４から接点がオン状態の監視データとオフ状態の監視データを短い周期（例えば、数秒）で繰り返し伝送ユニット４に送信することにより、伝送ユニット４が制御用端末器２へ制御データを送信して全ての照明負荷５1〜５3を一斉に点滅させるようにすれば、上述のようなデメリットを回避することができるとともに、侵入者を威嚇することも可能である。但し、システム規模が大きい場合や電源容量が小さい環境で上述のように全ての照明負荷５を一斉に点滅させると、電源電圧変動を引き起こす可能性がある。したがって、このような電源電圧変動を回避するため、全ての照明負荷５1〜５3を順番に点滅させることが望ましい。例えば、アドレスの小さい照明負荷５1〜５3から順番に点灯した後、アドレスの大きい照明負荷５1〜５3から順番に消灯すればよい。
【００４９】
ところで、本実施形態では外部機器としてネットワークカメラＮＣを例示したが、接点入力用端末器１０に接続可能な外部機器をネットワークカメラＮＣに限定する趣旨ではない。例えば、焦電素子により人体から放射される熱線を検出することで監視領域内の人の存否を検知する人体検知手段を備え、人体検知手段で人体が検知されたときに第１の接点信号Ｘ１を接点入力用端末器１０に出力し、人体が検知されなくなってから所定時間が経過した時点で第２の接点信号Ｘ２を接点入力用端末器１０に出力するように構成された人感センサや、あるいは、ワイヤレス送信機から送信されるワイヤレス信号（赤外線若しくは電波を媒体とする無線信号）を受信するワイヤレス信号受信手段を備え、負荷をオンする指令をワイヤレス信号で受信したときに第１の接点信号Ｘ１を接点入力用端末器１０に出力し、負荷をオフする指令をワイヤレス信号で受信したときに第２の接点信号Ｘ２を接点入力用端末器１０に出力するように構成されたワイヤレス受信器を外部機器としても構わない。このとき、人感センサやワイヤレス受信器のハウジングをネットワークカメラＮＣのハウジング６０と同一構造にすれば、接点入力用端末器１０に人感センサやワイヤレス受信器を保持させることができて施工性が向上できるという利点がある。なお、本実施形態におけるリレー内蔵型の制御用端末器と伝送ユニットを兼ねた親機を、伝送ユニット４並びに制御用端末器２の代わりに備えた遠隔監視制御システムにも、本発明の技術思想を適用することが可能である。
【図面の簡単な説明】
【００５０】
【図１】本発明の実施形態を示すシステム構成図である。
【図２】同上における接点入力用端末器のブロック図である。
【図３】同上における接点入力用端末器の分解斜視図である。
【図４】同上における接点入力用端末器並びにネットワークカメラの外観図である。
【図５】同上における接点入力用端末器並びにネットワークカメラを示し、接点入力用端末器にネットワークカメラを保持させた状態の斜視図である。
【図６】同上における接点入力用端末器並びにネットワークカメラの動作説明用のタイムチャートである。
【図７】同上における接点入力用端末器並びにネットワークカメラの動作説明用のタイムチャートである。
【図８】遠隔監視制御システムのシステム構成図である。
【図９】伝送信号の説明図である。
【符号の説明】
【００５１】
１  監視用端末器
２  制御用端末器
３  伝送線
４  伝送ユニット
５1〜５3  負荷（照明負荷）
１０  接点入力用端末器
ＮＣ  ネットワークカメラ（外部機器）
【図１】
2007288448.tif 000003
【図２】
2007288448.tif 000004
【図３】
2007288448.tif 000005
【図４】
2007288448.tif 000006
【図５】
2007288448.tif 000007
【図６】
2007288448.tif 000008
【図７】
2007288448.tif 000009
【図８】
2007288448.tif 000010
【図９】
2007288448.tif 000011